(57)【要約】【課題】  魚類飼育水中の銅イオン等金属イオンを効果的かつ容易に吸着除去することができるようにした魚類飼育水中の金属イオン除去方法を提供する。【解決手段】  キレート樹脂を金属イオン吸着材として使用し、魚類飼育水中の金属イオンを吸着除去するようにした。キレート樹脂は、水中の金属イオンを超微量状態にまで吸着処理することができ、しかも設計により吸着すべき対象金属イオンを選択することも可能である。  したがって、キレート樹脂を吸着材として使用して、魚類飼育水中の銅イオン等金属イオンを吸着除去するようにすると、確実に魚類飼育水中の銅イオン等金属イオンを除去することが可能となる。【選択図】        図１
2005185250.tif 000002
【特許請求の範囲】
【請求項１】
金属イオン吸着材を投入し、魚類飼育水中の金属イオンを吸着除去するようにしたことを特徴とする魚類飼育水中の金属イオン除去方法。
【請求項２】
吸着除去される金属イオンは、寄生生物駆除剤が飼育水中に溶解して生じる金属イオンであることを特徴とする請求項１記載の魚類飼育水中の金属イオン除去方法。
【請求項３】
寄生生物駆除剤が硫酸銅であり、吸着除去される金属イオンが銅イオンであることを特徴とする請求項２記載の魚類飼育水中の金属イオン除去方法。
【請求項４】
飼育水が、所定濃度以上の金属イオンを含む水道水であることを特徴とする請求項１記載の魚類飼育水中の金属イオン除去方法。
【請求項５】
金属イオン吸着材が、ポーラス構造のキレート樹脂であることを特徴とする請求項１，２，３又は４記載の魚類飼育水中の金属イオン除去方法。
【発明の詳細な説明】
【技術分野】
【０００１】
本願発明は、魚類飼育水中の金属イオン除去方法に関するものである。
【背景技術】
【０００２】
現在、鑑賞魚などの魚類の飼育現場では、魚類の寄生生物駆除のために、駆除剤として硫酸銅Ｃｕ2ＳＯ4等の重金属を使用することが一般的である。
【０００３】
その場合、有効な駆除効果を得るためには、少なくとも飼育水中の殺菌機能をもった銅イオン濃度が所定の濃度値（例えば０．２５ｐｐｍ程度以上）であることが必要である。そして、同飼育水中の銅イオン濃度が、上記所定の濃度値（０．２５ｐｐｍ）になるためには、少なくとも６．２２ｍｇ／ｌの硫酸銅を注入する必要がある。これは、注入した硫酸銅が溶解した後の銅イオン（Ｃｕ2+）が、水酸化銅Ｃｕ（ＯＨ）になったり、濾過槽部分で吸着されて減少するためである。
【０００４】
この硫酸銅は、寄生生物の除去に効果があるものの、他方飼育魚類そのものにも悪影響があることが明らかになっている。
【０００５】
したがって、飼育魚類への影響を最少限にするために、上記硫酸銅が溶解して発生する銅イオンを寄生生物駆除後には、できるだけ速やかに魚類飼育水槽から排出する必要がある。
【０００６】
自然水が簡単に入手できる水槽では、水変えを行うことによって上記銅イオンを簡単に排出することができるが、このような条件に当てはまらない閉鎖型水槽では、有効な除去方法がないのが現状である。
【０００７】
また、水質の関係で、水変えのための適した水源がないような場合にも、同様である。例えば、淡水飼育の水源として一般的に用いられる水道水の水質は「飲料水水質基準」により定められており、また魚類の飼育水の水質は「水産用水質基準」に定められているが、銅イオン濃度に関しては「飲料水水質基準」の方が１０倍ほど高い値になっている。したがって、一般の水道水を水源として魚類の飼育水に使用するような場合、その水質によっては予じめ銅イオンを除去する必要がある。
【０００８】
本願発明は、このような課題に応じるためになされたもので、金属イオンを吸着除去することができる金属イオン吸着材を使用して、魚類飼育水中の銅イオン等金属イオンを効果的かつ容易に吸着除去することができるようにした魚類飼育水中の金属イオン除去方法を提供することを目的としている。
【発明の開示】
【課題を解決するための手段】
【０００９】
本願発明は、同目的を達成するために、次のような課題解決手段を備えて構成されている。
【００１０】
（１）  第１の課題解決手段
この発明の第１の課題解決手段は、金属イオン吸着材を投入し、魚類飼育水中の金属イオンを吸着除去するようにしたことを特徴としている。
【００１１】
このように、金属イオン吸着材を使用して、魚類飼育水中の金属イオンを吸着除去するようにすると、確実に魚類飼育水中の金属イオンを除去することが可能となる。
【００１２】
（２）  第２の課題解決手段
この発明の第２の課題解決手段は、上記第１の課題解決手段の構成において、吸着除去される金属イオンは、寄生生物駆除剤が飼育水中に溶解して生じる金属イオンであることを特徴としている。
【００１３】
上記第１の課題解決手段による魚類飼育水中の金属イオン除去方法は、吸着除去される金属イオンが、例えば魚類に寄生する寄生生物を駆除するための寄生生物駆除剤が飼育水中に溶解して生じる金属イオンであるような場合にも、全く同様に有効に吸着除去することができる。
【００１４】
（３）  第３の課題解決手段
この発明の第３の課題解決手段は、上記第２の課題解決手段の構成において、寄生生物駆除剤が硫酸銅であり、吸着除去される金属イオンが銅イオンであることを特徴としている。
【００１５】
上記第１の課題解決手段による魚類飼育水中の金属イオン除去方法は、上記第２の課題解決手段における寄生生物駆除剤が硫酸銅であり、吸着除去される金属イオンが銅イオンであるような場合にも、全く同様に当該銅イオンを有効に吸着除去することができる。
【００１６】
（４）  第４の課題解決手段
この発明の第４の課題解決手段は、上記第１の課題解決手段の構成において、飼育水が、所定濃度以上の金属イオンを含む水道水であることを特徴としている。
【００１７】
例えば淡水飼育の水源として一般的に用いられる水道水の水質は、「飲料水水質基準」により定められており、また魚類の飼育水の水質は「水産用水質基準」に定められているが、銅イオン濃度に関しては「飲料水水質基準」の方が１０倍ほど高い値になっている。
【００１８】
したがって、一般の水道水を水源として魚類の飼育水に使用するような場合、その水質如何によっては、予じめ銅イオンを除去する必要があり、上記第１の課題解決手段の構成は、そのような場合の金属イオンの除去にも有効となる。
【００１９】
（５）  第５の課題解決手段
この発明の第５の課題解決手段は、上記第１，第２，第３又は第４の課題解決手段の構成において、金属イオン吸着材がポーラス構造のキレート樹脂であることを特徴としている。
【００２０】
キレート樹脂は、水中の金属イオンを超微量状態にまで吸着処理することができ、しかも分子軌道計算による設計により、吸着すべき対象金属イオンを選択することも可能である。
【００２１】
したがって、このようなキレート樹脂を、金属イオンの吸着材として使用して、魚類飼育水中の銅イオン等金属イオンを吸着除去するようにすると、確実に魚類飼育水中の銅イオン等金属イオンを除去することが可能となる。
【００２２】
その場合において、さらに同キレート樹脂がポーラス構造になっていると、上記銅イオン等金属イオンの高い吸着作用とともに脱着作用も活発となって、より再生効率が高くなる。
【発明の効果】
【００２３】
以上の結果、本願発明の魚類飼育水中の金属イオンの除去方法によれば、従来除去不可能であった水道水の場合を含む魚類飼育水中の銅イオン等金属イオンを、より効果的にかつ容易に除去し得るようになる。
【発明を実施するための最良の形態】
【００２４】
以下、本願発明を実施するに際しての最良の実施の形態に係る魚類飼育水中の金属イオンの除去方法の構成と作用について説明してゆく。
【００２５】
この最良の実施の形態の構成では、水変えのできにくい閉鎖型の魚類の飼育水槽として、例えば水族館等における熱帯魚等の鑑賞用魚類の飼育水槽が採用されており、同飼育水槽には、水槽内で水を循環させることにより水を浄化する循環型の濾過槽が設置されている。
【００２６】
このような魚類飼育水槽の場合、所定の期間（例えば２０〜３０日程度）以上水変えすることなく使用を続けていると、魚類に対して寄生する寄生生物（例えば  〜  ）が発生するようになる。
【００２７】
そこで、例えば図１のグラフに示すように、同使用時間の経過に応じて、所定の量の硫酸銅Ｃｕ2ＳＯ4等の重金属を寄生生物駆除剤として飼育水中に注入添加して駆除を図る。
【００２８】
この場合、有効な駆除効果を得るためには、少なくとも飼育水中の硫酸銅の銅イオンＣｕ2+濃度が所定の濃度値（例えば０．２５ｐｐｍ程度以上）となることが必要である。したがって、飼育水中の銅イオン濃度を、同所定の濃度値（０．２５ｐｐｍ）にするために、注入した硫酸銅が溶解した後の銅イオンが、水酸化銅になったり、濾過槽で吸着されることにより減少することを考慮して、少なくとも１回当り６．２２ｍｇ／ｌ程度の硫酸銅が注入される。
【００２９】
この硫酸銅の注入添加は、図１のグラフに示すように、以後、所定の期間が経過する度になされる。今図１の例では、例えば図３の表にも示されているように飼育を開始した１月１５日から４月１０日過ぎまでの間に、合計１３回（図中のＮｏ１〜Ｎｏ１３参照）硫酸銅が注入添加されている。
【００３０】
この結果、当該魚類飼育水槽中の飼育水に対して、例えば図２のグラフに示されるように、次第に多量の硫酸銅が添加されてゆくことになり、最終的には相当な量の硫酸銅が添加されることになる。
【００３１】
これら硫酸銅の各回の添加量とその累計値（総量）を具体的に数値で表したのが、図３の表である。また、同図３の表には、同各回における硫酸銅の添加前（作業前）と添加後（作業後）の飼育水中の銅イオン濃度の変化をも併せて示している。
【００３２】
上記寄生生物駆除剤としての硫酸銅は、すでに述べたように寄生生物の除去に効果があるものの、他方飼育魚類そのものにも悪影響がある。
【００３３】
したがって、飼育魚類への影響を最少限にするために、上述のようにして注入添加される硫酸銅が飼育水中で溶解して発生する銅イオンＣｕ2+を寄生生物の駆除後には、できるだけ速やかに魚類飼育水槽中から排出することが好ましい。自然水が簡単に入手できる水槽では、水変えを行うことによって同銅イオンＣｕ2+を簡単に排出することができるが、このような条件に当てはまらない本実施の形態のような閉鎖型の水槽では、特に、その必要性が高い。
【００３４】
そこで本実施の形態では、例えば図１のグラフおよび図３の表に示すように、当該水槽の使用を開始（平成１５年１月１５日）してから所定の期間が経過して、図２のグラフに示すように所定総量以上の硫酸銅が添加された段階（例えば平成１５年４月１０日頃）になると、当該水槽の飼育水中に、上記銅イオンＣｕ2+の吸着材として、例えばポーラス構造のキレート樹脂を取り出し可能な状態で投入する。
【００３５】
キレート樹脂は、水中の金属イオンを超微量状態にまで吸着処理することができ、しかも分子軌道計算による設計により吸着すべき対象金属イオンを選択することも可能である。
【００３６】
したがって、このようなキレート樹脂をポーラス構造の金属イオン吸着材ＣＲ１１として使用して、魚類飼育水槽中の飼育水中の銅イオン等金属イオン（重金属イオン）を吸着除去するようにすると、例えば図１のグラフおよび図３の表に示されるように、確実に魚類飼育水槽中の銅イオン濃度を低下させることが可能となる。
【００３７】
この結果、本実施の形態の魚類飼育水中の金属イオン除去方法によれば、従来水変え以外に除去不可能であった魚類飼育水中の銅イオン等金属イオン（重金属イオン）を効果的にかつ容易に除去し得るようになる。
【００３８】
なお、上記キレート樹脂吸着材ＣＲ１１の投入は、飼育水中の銅イオン濃度の低下状況を測定しながら、数回に分けて行ってもよい。
【００３９】
そして、十分に銅イオンが吸着除去された場合には、上記キレート樹脂吸着材ＣＲ１１は、外部に取り出されて、例えば所定の脱着方法により、吸着されている銅イオンＣｕ2+が脱着されて再使用される。
【００４０】
したがって、以上のような方法の場合、例えば「飲料水水質基準」により、銅イオン濃度の基準が「水産用水質基準」よりも１０倍ほど高い値になっている一般の水道水を、淡水飼育のための水源として魚類の飼育水に使用するような場合にも、同キレート樹脂吸着材ＣＲ１１を投入して手軽に銅イオンを除去することができるようになる。
【００４１】
（変形例）
以上の構成では、淡水の場合を前提として説明したが、同方法は、もちろん海水の場合にも適用可能である。
【００４２】
その場合、実験の結果によると、金属イオン吸着材ＣＲ１１の吸着能力は、魚類飼育海水中では硫酸銅として５７ｍｇ／ｇ、銅イオンとして１４．２５ｍｇ／ｇであった。
【００４３】
飼育海水中で有用と考えられる金属イオンのうち、Ｃｕ2+、Ｍｇ2+、Ｓｒ2+、Ｚｎ2+、ＣＯ2+の減少が見られたが、実験水槽にて飼育していたアマミスズメには、試験期間を通して何の影響も見られなかった。
【図面の簡単な説明】
【００４４】
【図１】本願発明の最良の実施の形態に係る魚類飼育水中の金属イオン除去方法の構成を示すグラフである。
【図２】同方法の実施時における所定期間内の硫酸銅の添加量の増加状態を示すグラフである。
【図３】同方法における各種作業状態と作業結果を経時的に数値化して示した実験データ表である。
【図１】
2005185250.tif 000003
【図２】
2005185250.tif 000004
【図３】
2005185250.tif 000005